(57)【要約】【課題】  ネットワークのサービスを受けながら他のネットワークのサービスを自動的に検索してその検索結果についてユーザが分かるようにした無線通信端末及び無線通信システムを提供する。【解決手段】  無線通信ネットワーク内における通信時間帯を検出し、無線通信ネットワーク内で通信中に通信時間帯以外の非通信時間帯内に複数の通信チャネルのうちの１のチャネル以外の通信チャネルについてチャネルスキャン処理を実行して無線通信ネットワーク以外の他の無線通信ネットワークの通信可能チャネルを検出し、チャネルスキャン処理終了後、チャネルスキャン処理の結果を示す。【選択図】  図２
2009232188.tif 000002
【特許請求の範囲】
【請求項１】
複数の通信チャネルのうちのいずれか１の通信チャネルを用いて無線通信ネットワークの通信基地局との間で通信を行う無線通信端末であって、
前記無線通信ネットワーク内における通信時間帯を検出する検出手段と、
前記無線通信ネットワーク内で通信中に前記検出手段によって検出された通信時間帯以外の非通信時間帯内に前記複数の通信チャネルのうちの前記１のチャネル以外の通信チャネルについてチャネルスキャン処理を実行して前記無線通信ネットワーク以外の他の無線通信ネットワークの通信可能チャネルを検出するチャネルスキャン処理手段と、
前記チャネルスキャン処理終了後、前記チャネルスキャン処理の結果を示す手段と、を備えたことを特徴とする無線通信端末。
【請求項２】
前記検出手段は、前記無線通信ネットワークの通信基地局に対して通信間隔を問合せてその通信基地局から通信時間帯を取得するアクティブ間隔問合せ部を有し、
前記チャネルスキャン処理手段は、通信基地局から取得した通信時間帯以外の非通信時間帯を推定し、その非通信時間帯内に前記チャネルスキャン処理を実行することを特徴とする請求項１記載の無線通信端末。
【請求項３】
前記検出手段は、前記無線通信ネットワークの通信基地局からの無線信号の受信間隔を解析する受信間隔解析部と、
前記受信間隔解析部によって解析された受信間隔を逐次記録する記録部と、を備え、
前記チャネルスキャン処理手段は、前記記録部に記録された受信間隔に応じて非通信時間帯を推定し、その非通信時間帯内に前記チャネルスキャン処理を実行することを特徴とする請求項１記載の無線通信端末。
【請求項４】
前記通信時間帯は、単位時間内に通信基地局から送信される無線信号の送信時間帯を示すことを特徴とする請求項１記載の無線通信端末。
【請求項５】
複数の通信チャネルのうちのいずれか１の通信チャネルを用いて無線通信ネットワークの通信基地局との間で通信を行う無線通信端末であって、
前記無線通信ネットワーク内における通信時間帯以外の非通信時間帯を予め設定した設定手段と、
前記無線通信ネットワーク内で通信中に前記設定手段によって設定された前記非通信時間帯内に前記複数の通信チャネルのうちの前記１のチャネル以外の通信チャネルについてチャネルスキャン処理を実行して前記無線通信ネットワーク以外の他の無線通信ネットワークの通信可能チャネルを検出するチャネルスキャン処理手段と、
前記チャネルスキャン処理終了後、前記チャネルスキャン処理の結果を示す手段と、を備えたことを特徴とする無線通信端末。
【請求項６】
複数の通信チャネルのうちのいずれか１の通信チャネルを用いて無線通信ネットワークの通信基地局と無線通信端末との間で通信を行う無線通信システムであって、
前記通信基地局は、前記複数の通信チャネルのうちの前記１のチャネル以外の通信チャネルについてチャネルスキャン処理を実行して前記無線通信ネットワーク以外の他の無線通信ネットワークの通信可能チャネルを検出するチャネルスキャン処理手段と、
前記チャネルスキャン処理終了後、前記チャネルスキャン処理の結果を前記無線通信端末に送信する送信手段と、を備え、
前記無線通信端末は、前記送信手段によって送信された前記チャネルスキャン処理の結果を受信してそれを示す手段を備えたことを特徴とする無線通信システム。
【発明の詳細な説明】
【技術分野】
【０００１】
本発明は、無線通信端末に関し、特に、通信を継続しながら他のネットワークサービスを検出する無線通信端末及び無線通信システムに関するものである。
【背景技術】
【０００２】
近年、無線ＰＡＮ（パーソナルエリアネットワーク）の利用が進んでいる。無線ＰＡＮの通信規格としてはIEEE802.11シリーズやIEEE802.15.4，IEEE802.15.5等があげられる。これらの通信規格は他の通信規格に比べて通信距離が短い。このため、場所毎に、異なるネットワークのサービスが存在することがある。また、複数のネットワークサービスが互いに異なる通信チャネル、及び互いに異なるＰＡＮＩＤ、ＳＳＩＤ等の識別子で区別される。ネットワークサービスを初めて受けるときには、どのチャネルでどのような識別子のネットワークが存在するか、チャネルスキャン及びネットワークサービスの探索が行われる。
【０００３】
しかしながら、このサービス探索は受信帯域を切り替えて行うために、既に特定のチャネルで通信を行っている場合は、一度そのチャネルでの無線信号の受信を休止し、チャネルスキャンのために受信帯域を変える必要がある。
【０００４】
図１は従来の無線通信端末として無線通信端末２００の構成を示している。説明を簡単にするため、本発明に直接関係のないネットワークの初期化処理の部分は省略している。
【０００５】
無線通信端末２００は、通信部２０１、チャネル制御部２０２、チャネルスキャン処理部２０３、チャネル選択処理部２０４及びアプリケーション処理部２０５を備えている。
【０００６】
通信を開始するにあたり、特定の通信チャネルが決まっていない場合には、通信の初期化時にチャネルスキャン処理部２０３はチャネルスキャン処理を開始する。通信規格で定められたチャネルを順次チャネル制御部２０２が設定し、通信部２０１を介してポーリング信号を送信する。ポーリング信号に対しての適当な応答があれば、当該チャネルにて通信サービスが提供されているとし、チャネル選択処理部２０４に選択可能なチャネルである旨を登録する。通信規格で定められた全てのチャネルに対してポーリング処理を行い、応答信号のあったチャネルをチャネル選択処理部２０４に登録すると、チャネルスキャン処理は完了する。チャネル選択処理部２０４の登録では、同じチャネル内で異なるネットワークサービスであることを示すＳＳＩＤやＰＡＮＩＤ等の識別子を登録する場合もある。
【０００７】
チャネル選択処理部２０４はユーザに対して適当なユーザインターフェースを介して選択可能なチャネルを示す。ユーザが端末に対する操作によってチャネルを選択すると、チャネル選択処理部２０４はチャネル制御部２０２に対して通信を行うチャネルを設定する。
【０００８】
通信に用いるチャネルが設定された後は、アプリケーション処理部２０５が通信部２０１を介して通信を行うことができる。
【特許文献１】特願２００３−７８６２５号公報
【発明の開示】
【発明が解決しようとする課題】
【０００９】
アプリケーション処理部２０５が通信をしている間は、通信チャネルは固定されていなければならない。他の通信サービスを検索するためには通信チャネルを切り替えるためにチャネルスキャン処理が必要となる。例えば、１つのエリアでネットワークサービスを無線通信端末を介して受けているユーザが別の通信チャネルにて他のネットワークサービスも同時に提供されているエリアに移動したときには現在受けているサービスの無線信号の受信を一度休止しなければ、他のサービスを受けることはできない。しかしながら、通信チャネル切り替えのためのチャネルスキャン処理では、通常全てのチャネルをスキャンするので時間がかかり、長い間通信が途絶えてしまうという問題がある。更には、このような問題がある中、ユーザが現在いる場所でネットワークサービスがあるか否かがわからない状態で意図的に定期的にネットワークを初期化して他のサービスを探すのは利便性が非常に悪いという問題がある。
【００１０】
そこで、本発明では、ネットワークのサービスを受けながら他のネットワークのサービスを自動的に検索してその検索結果についてユーザが分かるようにした無線通信端末及び無線通信システムを提供することである。
【課題を解決するための手段】
【００１１】
本発明の無線通信端末は、複数の通信チャネルのうちのいずれか１の通信チャネルを用いて無線通信ネットワークの通信基地局との間で通信を行う無線通信端末であって、前記無線通信ネットワーク内における通信時間帯を検出する検出手段と、前記無線通信ネットワーク内で通信中に前記検出手段によって検出された通信時間帯以外の非通信時間帯内に前記複数の通信チャネルのうちの前記１のチャネル以外の通信チャネルについてチャネルスキャン処理を実行して前記無線通信ネットワーク以外の他の無線通信ネットワークの通信可能チャネルを検出するチャネルスキャン処理手段と、前記チャネルスキャン処理終了後、前記チャネルスキャン処理の結果を示す手段と、を備えたことを特徴としている。
【００１２】
本発明の無線通信端末は、複数の通信チャネルのうちのいずれか１の通信チャネルを用いて無線通信ネットワークの通信基地局との間で通信を行う無線通信端末であって、前記無線通信ネットワーク内における通信時間帯以外の非通信時間帯を予め設定した設定手段と、前記無線通信ネットワーク内で通信中に前記設定手段によって設定された前記非通信時間帯内に前記複数の通信チャネルのうちの前記１のチャネル以外の通信チャネルについてチャネルスキャン処理を実行して前記無線通信ネットワーク以外の他の無線通信ネットワークの通信可能チャネルを検出するチャネルスキャン処理手段と、前記チャネルスキャン処理終了後、前記チャネルスキャン処理の結果を示す手段と、を備えたことを特徴としている。
【００１３】
本発明の無線通信システムは、複数の通信チャネルのうちのいずれか１の通信チャネルを用いて無線通信ネットワークの通信基地局と無線通信端末との間で通信を行う無線通信システムであって、前記通信基地局は、前記複数の通信チャネルのうちの前記１のチャネル以外の通信チャネルについてチャネルスキャン処理を実行して前記無線通信ネットワーク以外の他の無線通信ネットワークの通信可能チャネルを検出するチャネルスキャン処理手段と、前記チャネルスキャン処理終了後、前記チャネルスキャン処理の結果を前記無線通信端末に送信する送信手段と、を備え、前記無線通信端末は、前記送信手段によって送信された前記チャネルスキャン処理の結果を受信してそれを示す手段を備えたことを特徴としている。
【発明の効果】
【００１４】
本発明によれば、１のネットワークのサービスを受けながら他のネットワークのサービスをチャネルスキャン処理して検出してその検出結果を示すことができるので、無線通信端末のユーザは現在１のネットワークのサービスのために行っている通信への影響を少なくして他のサービスの存在を知ることができる。
【発明を実施するための最良の形態】
【００１５】
以下、本発明の実施例を図面を参照しつつ詳細に説明する。
【００１６】
図２は本発明の第１の実施例として無線通信端末１００の構成を示している。この無線通信端末１００は、通信部１０１、チャネル制御部１０２、チャネルスキャン処理部１０３、チャネル選択処理部１０４、アプリケーション処理部１０５、切り替え制御部１０６、及びアクティブ間隔問合せ部１０７を備えている。
【００１７】
通信部１０１は、無線通信を行う。チャネル制御部１０２は、通信部１０１の通信チャネルの切り替え制御を行う。チャネルスキャン処理部１０３は、チャネルスキャンの処理を行う。チャネル選択処理部１０４は、チャネルスキャンした結果から、通信を行うチャネルを決定するための処理を行う。アプリケーション処理部１０５は、通信部１０１を介した通信を利用したアプリケーションを処理する。アクティブ間隔問合せ部１０７は、通信部１０１を介して通信基地局へ通信頻度の問い合わせ処理を行う。切り替え制御部１０６は、アクティブ間隔問合せ部１０７からの通信頻度情報に基づいて、通信の間欠区間中にチャネルスキャンを、通信の行われる区間中に通常通信を行うよう切り替え制御を行う。
【００１８】
次に、かかる構成の無線通信端末１００の動作について説明する。ここで、この無線通信端末１００には複数の通信チャネルのうちの１の通信チャネルが設定されており、所定のネットワークサービスに参加しているとする。所定のネットワークサービスを提供する通信基地局はその所定のネットワーク内の無線通信端末１００を含む無線通信端末各々へ無線信号を送信することにより送信サービスを実行している単位時間（例えば、１０分）内における通信時間帯を頻度として算出し、１の無線通信端末からの通信頻度問合せメッセージを受信すると、それに応答して算出した頻度を示す頻度情報をその１の無線通信端末に対して送信する機能を有している。
【００１９】
無線通信端末１００においては、図３に示すように、アクティブ間隔問合せ部１０７が通信部１０１を介して通信基地局に現在サービスを受けている通信の通信頻度の問合せメッセージを送る（ステップＳ１）。通信基地局から現在行っている送信サービスの頻度が無線通信端末１００に送り返される（ステップＳ２）。通信基地局の代えて通信端末１００に対して送信サービスを行っている他の端末に問合せメッセージが送られ、他の端末から送信サービスの頻度が送り返されるようにしても良い。
【００２０】
アクティブ間隔問合せ部１０７は、送り返された送信サービスの頻度情報からサービスの間欠区間（非通信時間帯）を推測して決定し、それを切り替え処理部１０６に伝える（ステップＳ３）。切り替え処理部１０６はチャネルスキャン処理部１０３に対して制御信号を出力する（ステップＳ４）。その制御信号は間欠区間時にはチャネルスキャン処理を行う指令であり、通信区間時（通信時間帯）にはチャネルスキャン処理を禁止する指令である。通信時間帯は通信基地局が無線信号を送信している時間であり、非通信時間帯は通信基地局が無線信号の送信を停止している時間である。
【００２１】
チャネルスキャン処理部１０３は制御信号がチャネルスキャン処理指令であるときにチャネルスキャン処理を実行する（ステップＳ５）。
【００２２】
すなわち、そのチャネルスキャン処理部１０３によるチャネルスキャン処理に従って、通信規格で定められたチャネルを順次チャネル制御部１０２が設定し、通信部１０１を介してポーリング信号を送信する。ポーリング信号に対しての適当な応答があれば、当該チャネルにて通信サービスが提供されているとし、チャネル選択処理部１０４に選択可能なチャネルである旨を登録する。通信規格で定められた全てのチャネルに対してポーリング処理を行い、応答信号のあったチャネルをチャネル選択処理部１０４に登録すると、チャネルスキャン処理は完了する。チャネル選択処理部１０４はユーザに対して適当なユーザインターフェースを介して選択可能なチャネルをユーザに対して例えば、表示器に表示して示す（ステップＳ６）。選択可能なチャネルは他の通信ネットワークのサービスを受けることができる通信可能チャネルである。
【００２３】
また、チャネルスキャン処理中にはそれまで設定されている上記の１のチャネルの通信状態を維持するようチャネル制御部１０２が制御され、チャネルスキャン処理の完了後、１のチャネルの通信状態に戻ることが行われる（ステップＳ７）。
【００２４】
よって、無線通信端末１００においては、通信サービスの間欠区間を利用してチャネルスキャン処理が行われ、その結果をユーザに示すので、ユーザが受ける通信サービスを低減させることをできるだけ回避させる。ユーザが現在利用しているサービス以外の他のネットワークのサービスを検知することができる。
【００２５】
上記した実施例のステップＳ１の通信頻度の問合せメッセージは、上記のしたように通信基地局や通信端末１００に対して送信サービスを行っている他の端末が受け取って処理することに限らず、ネットワークを管理している管理局が処理をして頻度情報を送り返しても良い。更に、情報サービスなどの特定のサービスアプリケーションを提供している端末又は基地局が処理をしても良い。
【００２６】
また、サービスアプリケーションを提供している端末は送信サービスの頻度を特定の管理端末に登録し、特定の管理端末がアクティブ間隔問合せ部の問い合わせに対して送信サービスの頻度を伝えても良い。
【００２７】
上記した実施例においては、通信基地局又は他の端末は問合せメッセージに応答して送信サービスの頻度の情報を送信するが、送信頻度の情報を送信する代わりに、次の送信タイミング情報を送信しても良い。なお、上記した実施例においては通信基地局は常時、単位時間内においては予め定められた時間帯に送信サービスを行っている。
【００２８】
更に、間欠区間の全ての時間においてチャネルスキャン処理をするように制御しなくても良い。通信区間から閾値Ｔ以上の時間を経過した後にチャネルスキャンを開始するようにしても良いし、また同時に通信区間が開始する閾値Ｔ以上の時間を空けてチャネルスキャンが終了するように動作しても良い。また、間欠区間の間、チャネルスキャンを時間Ｔperiodの間隔を空けてチャネルスキャンを繰り返すように処理しても良い。
【００２９】
図４は本発明の第２の実施例として無線通信端末３００の構成を示している。この無線通信端末３００は、通信部３０１、チャネル制御部３０２、チャネルスキャン処理部３０３、チャネル選択処理部３０４、アプリケーション処理部３０５、切り替え制御部３０６、受信間隔解析部３０７、及びログ記録部３０８を備えている。
【００３０】
通信部３０１、チャネル制御部３０２、チャネルスキャン処理部３０３、チャネル選択処理部３０４、及びアプリケーション処理部３０５は第１の実施例の通信部１０１、チャネル制御部１０２、チャネルスキャン処理部１０３、チャネル選択処理部１０４、及びアプリケーション処理部１０５と同様の構成を備えている。
【００３１】
受信間隔解析部３０７は、通信部３０１の受信データ数、もしくは送信データ数を含めて統計解析をして通信の間欠区間、繁忙区間を推定する。ログ記録部３０８は、受信間隔解析部３０７の解析データを記録する。
【００３２】
切り替え制御部３０６は、受信間隔解析部３０７によって推定された間欠区間の情報に基づいてチャネルスキャン動作を処理するようにチャネルスキャン処理部３０３を制御する。
【００３３】
次に、かかる構成の無線通信端末３００の動作について説明する。ここで、この無線通信端末３００には複数の通信シャネルのうちのいずれか１の通信チャネルが設定されており、所定のネットワークサービスに参加している通信状態とする。
【００３４】
その通信状態において、図５に示すように、受信間隔解析部３０７は通信部３０１の受信データ数とデータの到着時間とに応じて、その到着間隔の平均時間やデータが継続して到着するバースト時間を算出し（ステップＳ１１）、それら算出結果の統計情報をログ記録部３０８に記録する（ステップＳ１２）。また、受信間隔解析部３０７はログ記録部３０８に記録されている統計情報の履歴から、到着平均時間の変化の周期を統計的に解析し、到着間隔が閾値Ｔthより大きく、一定の時間Ｔrest以上に亘って受信データが来ないときに推定間欠区間として、切り替え制御部３０６に通知する（ステップＳ１３）。また、最適な閾値Ｔthや、Ｔrestの値を周期的な変化から補正する。推定間欠区間が通知された後は第１の実施例と同様の処理（ステップＳ４〜Ｓ７）を実行する。
【００３５】
よって、無線通信端末３００においては、上記の第１の実施例の無線通信端末とは異なり、他の端末への間隔問合せメッセージを送信する必要がなく、他の端末や基地局は変更をせずに従来の技術で構成することができるので、配置コストを抑えることが可能である。更には、第１の実施例と同様に受けている通信サービスを統計的に低減することを回避しながら、ユーザに現在利用しているサービス以外の他のチャネルのサービスを検知することができる。
【００３６】
図６は本発明の第３の実施例として無線通信端末４００の構成を示している。この無線通信端末４００は、通信部４０１、チャネル制御部４０２、チャネルスキャン処理部４０３、チャネル選択処理部４０４、アプリケーション処理部４０５、切り替え制御部４０６、及びスキャン間隔設定部４０７を備えている。
【００３７】
通信部４０１、チャネル制御部４０２、チャネルスキャン処理部４０３、チャネル選択処理部４０４、及びアプリケーション処理部４０５は第１の実施例の通信部１０１、チャネル制御部１０２、チャネルスキャン処理部１０３、チャネル選択処理部１０４、及びアプリケーション処理部１０５と同様の構成を備えている。
【００３８】
スキャン間隔設定部４０７はチャネルスキャン間隔、チャネルスキャン回数、チャネルスキャン可能時間等のチャネルスキャンに関するパラメータの値を予め設定して保持している
切り替え制御部４０６は、スキャン間隔設定部４０７によって設定されたスキャン間隔値に基づいて、通信の間欠区間中にチャネルスキャンを、通信の行われる区間中に通常通信を行うよう切り替え制御を行う。
【００３９】
次に、かかる構成の無線通信端末４００の動作について説明する。ここで、この無線通信端末４００には複数の通信チャネルのうちのいずれか１の通信チャネルが設定されており、所定のネットワークサービスに参加している通信状態とする。
【００４０】
その通信状態において、スキャン間隔設定部４０７は予め設定されている、チャネルスキャン間隔、チャネルスキャン回数、チャネルスキャン可能時間等のチャネルスキャンに関するパラメータを切り替え制御部４０６に伝える。切り替え制御部４０６は、スキャン間隔設定部４０７によって指定されたチャネルスキャンに関するパラメータの設定値に応じてチャネルスキャン処理の可能期間が定まるので、そのチャネルスキャン処理の可能期間以外の期間に亘って、チャネルスキャン処理部４０３に対してチャネルスキャン処理を禁止させ、チャネルスキャン可能期間においてはチャネルスキャン処理部４０３に対して時間Ｔperiod毎にチャネルスキャン処理を指定されたチャネルスキャン回数だけ実行させる。チャネルスキャンの後の動作は第１及び第２の実施例のステップＳ６，Ｓ７と同様である。
【００４１】
よって、無線通信端末４００においては、通信規格によっては通信端末の休眠時間を予め設定することができたり、休眠時間の規定値が決まっていたりする場合があるので、そのような通信規格を用いることにより、複雑な処理機構なくユーザが現在利用しているサービス以外の他のネットワークのサービスを検知することができる。
【００４２】
図７は本発明の第４の実施例として無線通信システム７００の概略構成を示している。通信システム７００はネットワークＡを構成している通信基地局７０２及び通信基地局７０３と、ネットワークＢを構成している通信基地局７１１と、無線通信端末７０１とによって構成されている。
【００４３】
無線通信端末７０１は、図８に示すように、通信部５０１、チャネル制御部５０２、チャネルスキャン処理部５０３、チャネル選択処理部５０４、アプリケーション処理部５０５、及び他チャネルサービス通知情報処理部５０６を備えている。
【００４４】
通信部５０１、チャネル制御部５０２、チャネルスキャン処理部５０３、チャネル選択処理部５０４、及びアプリケーション処理部５０５は第１の実施例の通信部１０１、チャネル制御部１０２、チャネルスキャン処理部１０３、チャネル選択処理部１０４、及びアプリケーション処理部１０５と同様の構成を備えている。
【００４５】
他チャネルサービス通知情報処理部５０６は通信部５０１を介して基地局から他チャネルサービス通知情報を受け取る。
【００４６】
通信基地局７０２，７０３，７１１各々は、図９に示すように、通信部６０１、チャネルスキャン部６０２、チャネルスキャン制御部６０３、及び他チャネルサービス通知部６０４を備えている。
【００４７】
通信部６０１は、通常の無線通信処理をする。チャネルスキャン部６０２は、他チャネルのチャネルスキャンを行う。チャネルスキャン制御部６０３はチャネルスキャン部６０２のチャネルスキャンの制御を行う。他チャネルサービス通知部６０４はチャネルスキャン制御部６０３によって検知された通信サービスを通信データとして通信部６０１を介して通信端末へと送信する。
【００４８】
かかる構成の無線通信システム７００の動作について説明する。
【００４９】
通信基地局７０２の通信部６０１はネットワークＡにおいて複数の通信チャネルのうちのいずれか１の通信チャネルで通信サービスを無線通信端末７０１に提供しているとする（ステップＳ３１）。通信基地局７０２のチャネルスキャン制御部６０３は定期的にチャネルスキャン部６０２を介して近隣で提供されている他のネットワークの通信サービスをチャネルスキャンで検知する（ステップＳ３２）。検知した通信サービス各々について、他チャネルサービス通知部６０４に通知する（ステップＳ３３）。他チャネルサービス通知部６０４は検知された通信サービスを通信データとして通信部６０１を介して６００が提供するネットワークサービスに参加している無線通信端末７０１に送付する（ステップＳ３４）。
【００５０】
すなわち、通信基地局７０２及び通信基地局７０３によってネットワークＡを生成、通信基地局７１１によって別の通信チャネルにおいてネットワークＢを提供していて、通信端末７０１は通信基地局７０２に接続しネットワークＡに参加している場合、通信端末７０１にはネットワークＡとの通信を遮断してチャネルスキャンをしない限り、通信基地局７１１を検知することはできないが、通信基地局７０２においては通知部６０１においてネットワークＡの通信を維持しつつ、チャネルスキャン部６０２が周辺の他の通信チャネルがないかをチャネルスキャンする。通信基地局７１１は通信基地局７０２によって検知され、通信基地局７０２における通信部６０２を介してネットワークＡ上の通信端末７０１に対して、ネットワークＢの存在及び通信基地局７１１の存在を伝えることが可能となる。
【００５１】
通信端末７０１においては、他チャネルサービス通知情報が通信端末７０２から受け取ると（ステップＳ４１）、その他チャネルサービス通知情報は通信部５０１を介して、他チャネルサービス通知情報処理部５０６で処理される（ステップＳ４２）。その処理ではネットワーク情報及び通信基地局情報が抽出され、それらの情報はチャネル選択処理部５０４に送られる。チャネル選択処理部５０４はその送られたネットワーク情報及び通信基地局情報に応じてユーザに他の通信サービスの存在を伝え、サービスの切り替えが可能であることを示す（ステップＳ４３）。
【００５２】
よって、無線通信システム７００においては、通信端末７０１は通信を遮断して他チャンルをチャネルスキャンする必要がないので、他のネットワークのサービスを検知するためにチャネルスキャン中に通信ができなくなるという通信サービスの不具合を生じることがない。
【００５３】
なお、チャネルスキャン制御部５０２は定期的にチャネルスキャンを行うのではなく、通信端末７０１等の無線通信端末がネットワークに参加したことを通信部６０１が検知したときに行っても良い。そうした場合には他チャネルサービス通知情報を通信端末で得られるまでの応答時間は多少大きくなる可能性があるが、効率的な処理が可能となる。
【００５４】
また、チャネルスキャン制御部５０２はネットワークサービスだけではなく、同様に上位のアプリケーションサービスの検知機能を併せ持つとより詳細なサービス通知機能を提供可能である。
【図面の簡単な説明】
【００５５】
【図１】従来の無線通信端末の構成を示すブロック図である。
【図２】本発明の第１の実施例として無線通信端末の構成を示すブロック図である。
【図３】図２の通信端末の他ネットワークサービス提示動作を示すフローチャートである。
【図４】本発明の第２の実施例として無線通信端末の構成を示すブロック図である。
【図５】図４の通信端末の他ネットワークサービス提示動作を示すフローチャートである。
【図６】本発明の第３の実施例として無線通信端末の構成を示すブロック図である。
【図７】本発明の第４の実施例として無線通信ネットワークを示す図である。
【図８】図７のネットワークの無線通信端末の構成を示すブロック図である。
【図９】図７のネットワークの通信基地局の構成を示すブロック図である。図である。
【図１０】図９の通信基地局の他ネットワークサービス検知動作を示すフローチャートである。
【図１１】図１０の通信端末の他チャネルサービス提示動作を示すフローチャートである。
【符号の説明】
【００５６】
１００，２００，３００，４００，７０１  無線通信端末
１０６，３０６，４０６  切り替え制御部
１０７  アクティブ間隔問合せ部
３０７  受信間隔解析部
３０８  ログ記録部
４０７  スキャン間隔設定部
５０６  他チャネルサービス通知情報処理部
６０４  他チャネルサービス通知部
【図１】
2009232188.tif 000003
【図２】
2009232188.tif 000004
【図３】
2009232188.tif 000005
【図４】
2009232188.tif 000006
【図５】
2009232188.tif 000007
【図６】
2009232188.tif 000008
【図７】
2009232188.tif 000009
【図８】
2009232188.tif 000010
【図９】
2009232188.tif 000011
【図１０】
2009232188.tif 000012
【図１１】
2009232188.tif 000013